(57)【要約】【課題】  回転ブラシの回転時の振動を吸収すると共に、振動音の発生を抑えることができる電気掃除機用床吸込具を提供する。【解決手段】  吸込口を有する吸込具本体と、前記吸込口に臨ませて前記吸込具本体内に回転自在に取着される回転ブラシを備え、前記回転ブラシは両端部に軸受け部材７、７が形成されてあると共に、前記軸受け部材７と前記吸込具本体との間に起毛部８が形成されてある。また、下ケース１０ｂに形成されている溝部９に軸受け１５が装着され、軸受け１５の上面に上ケース１０ａが固定される構造となっている。【選択図】図５
2014094210.tif 000002
【特許請求の範囲】
【請求項１】
吸込口を有する吸込具本体と、前記吸込口に臨ませて前記吸込具本体内に回転自在に取着される回転ブラシを備え、前記回転ブラシは両端部に軸受け部材が形成されてあると共に、前記軸受け部材と前記吸込具本体との間に起毛部が形成されてある事を特徴とする電気掃除機用床吸込具。
【請求項２】
起毛部は、軸受け部材の外周面に静電植毛にて形成されてある事を特徴とする請求項１記載の電気掃除機用床吸込具。
【請求項３】
起毛部は、軸受け部材の外周面に起毛布が装着されてある事を特徴とする請求項１記載の電気掃除機用床吸込具。
【請求項４】
電動送風機と、請求項１から３のいずれか１項に記載の電気掃除機用床吸込具とを備え、前記電動送風機と前記掃除機用床吸込具とを連通させた電気掃除機。
【発明の詳細な説明】
【技術分野】
【０００１】
本発明は、塵埃掻き上げ用の回転ブラシを有する電気掃除機用床吸込具及び電気掃除機に関するものである。
【背景技術】
【０００２】
従来から、回転ブラシの両端部に装着された軸受け部材が、床ノズルの下ケース内に形成された溝部にたいして挿入固定されていた電気掃除機の吸口が知られている（特許文献１）。
【０００３】
また、回転ブラシの軸受け部材を回転ブラシの径方向上側から押えるトーションスプリングにより、軸受け部材を弾性保持させた電気掃除機の吸込口体が知られている（特許文献２）。
【先行技術文献】
【特許文献】
【０００４】
【特許文献１】特開平６−１０５７７１号公報
【特許文献２】特公平８−１１１０１号公報
【発明の概要】
【発明が解決しようとする課題】
【０００５】
上記特許文献１に開示されている電気掃除機の吸口は、回転ブラシの両端部に装着された軸受け部材が、床ノズルの下ケース内に形成された溝部にたいして挿入固定されている為、回転ブラシの回転時の振動は、軸受け部材を経由して下ケースに伝わり、吸口の振動となり、騒音の発生源となっていたという課題を有していた。
【０００６】
また、上記特許文献２に開示されている電気掃除機の吸込口体は、回転ブラシの軸受け部材を回転ブラシの径方向上側から押えるトーションスプリングにより、軸受け部材を弾性保持させているが、回転ブラシの回転時の振動がトーションスプリングに伝わり、トーションスプリングより振動音が発生してしまうと共に、トーションスプリングの振動が再度、軸受け部材に伝わり回転ブラシの回転時の振動を吸収できないという課題を有していた。
【０００７】
本発明は、上記のような課題を解決する為になされたもので、回転ブラシの回転時の振動を吸収すると共に、振動音の発生を抑えることができる電気掃除機用床吸込具を提供することを目的としている。
【課題を解決するための手段】
【０００８】
上記従来の課題を解決する為に、請求項１の電気掃除機用床吸込具の発明は、吸込口を有する吸込具本体と、前記吸込口に臨ませて前記吸込具本体内に回転自在に取着される回転ブラシを備え、前記回転ブラシは両端部に軸受け部材が形成されてあると共に、前記軸受け部材と前記吸込具本体との間に起毛部が形成されてある事を特徴とする電気掃除機用床吸込具としたことを特徴としている。したがって、起毛部により軸受け部材と吸込具本体との間で、回転ブラシの回転時の振動を吸収する事ができると共に、振動音の発生を抑える事ができる。
【０００９】
請求項２の発明は、請求項１に記載の構成よりなる電気掃除機用床吸込具において、起毛部は、軸受け部材の外周面に静電植毛にて形成されてあることを特徴としている。上記構成によって、静電植毛にて形成された多数のパイルの１本１本が、回転ブラシの回転時に発生した振動をそれぞれ吸収することができると共に、振動音の発生を抑える事ができる。また、静電植毛の為、植毛密度を任意に設定することにより、最適の振動吸収効果を実現できる。
【００１０】
請求項３の発明は、請求項１に記載の構成よりなる電気掃除機用床吸込具において、起毛部は、軸受け部材の外周面に起毛布が装着されてあることを特徴としている。起毛布は、基布の上面に無数のブラシ毛が連続的に植設された一体構造となっている為、起毛部を起毛布で構成することにより、振動吸収効果において、ばらつきの無い一定の効果を有することができる。また、起毛布を貼るだけで起毛部を、簡易に製作できる。
【００１１】
請求項４の発明は、電動送風機と、請求項１から３のいずれか１項に記載の電気掃除機用床吸込具とを備え、電動送風機と掃除機用床吸込具とを連通させた電気掃除機であることを特徴としている。上記構成によって、回転ブラシの回転時の振動を、吸収すると共に、振動音の発生を抑えることができる電気掃除機を提供することができる。
【発明の効果】
【００１２】
請求項１の発明では、起毛部により、回転ブラシの回転時の振動を吸収する事ができると共に、振動音の発生を抑える事ができる。
【００１３】
また、請求項２の発明では、静電植毛にて形成された多数のパイルの１本１本が、回転ブラシの回転時に発生した振動をそれぞれ吸収することができると共に、振動音の発生を抑える事ができる。また、静電植毛の為、植毛密度を任意に設定することにより、最適の振動吸収効果を実現できる。また、請求項３の発明では、振動吸収効果において、ばらつきの無い一定の効果を有することができる。また、起毛布を貼るだけで起毛部を、簡易に製作できる。また、請求項４の発明では、回転ブラシの回転時の振動を、吸収すると共に、振動音の発生を抑えることができる電気掃除機を提供することができる。
【図面の簡単な説明】
【００１４】
【図１】本発明の第１の実施の形態における電気掃除機用床吸込具の分解斜視図（上蓋を除いた図）
【図２】図１の回転ブラシの展開斜視図
【図３】起毛部が形成された軸受けの正面図
【図４】本発明の第１の実施の形態の起毛部が形成された軸受けの断面図
【図５】図４のＡ−Ａ断面図
【図６】本発明の第２の実施の形態の起毛部が形成された軸受けの斜視図
【図７】本発明の電気掃除機用床吸込具を搭載した電気掃除機の全体側面図
【発明を実施するための形態】
【００１５】
本発明の第１の実施の形態における掃除機用床吸込具について、図１〜図４を用いて説明する。
【００１６】
図１は、本発明の第１の実施の形態における電気掃除機用床吸込具の分解斜視図（上蓋を除いた図）であり、図２は、図１の回転ブラシの展開斜視図である。
【００１７】
図１、２において、１０は、電気掃除機（図示せず）に、ホース（図示せず）、延長管（図示せず）などを介して接続される電気掃除機用床吸込具本体で、前方底部に塵埃を吸引する開口部（図示せず）が設けられ、その開口部に臨むように回転ブラシ１が回転自在に設けられている。回転ブラシ１は、ベルト１２を介して電気掃除機用床吸込具本体１０に内蔵されたモータ１１により回転駆動される。
【００１８】
回転ブラシ１は、アルミニウムなどの金属材料からなり外周面の長手方向に均等に４本の溝部４を外方に開口するように設けたロータ２と、一端が溝部４に嵌合装着される複数の清掃体３、３と、この清掃体３をロータ２に装着した後、このロータ２の一端に圧入されると共にモータ１１で駆動されるベルト１２が張架されるシャフト１９を有するプーリー付きホルダー５と、ロータ２の他端に圧入されるシャフト１９を有する軸受けホルダー６から構成されている。また、両端には、ワッシャー１８を介して、軸受け部材７、軸受けメタル１７及び起毛部８からなる軸受け１５が形成されてある。１５は、回転ブラシ１の両端を電気掃除機用床吸込具本体１０に回転自在に保持するための軸受けであり、この軸受け１５は、軸受け部材７の外周面に静電植毛にて起毛部８が形成されている。
【００１９】
尚、ロータ２に設けた溝部４は、ロータ２の全幅に渡って３６０度の捩り角度で螺旋状に形成されている。なお、本実施の形態においては、捩れ角度を３６０度に設定しているが、例えば、９０度、１８０度、５４０度、７２０度等、その角度を限定するものではない。また、溝部４の断面形状は、ロータ２の全長に渡って、一定の略いちょう型で、外周開口を内部に対して狭くなるように形成されている。
【００２０】
図３は、起毛部が形成された軸受けの正面図である。この図に示すように、軸受け１５は、軸受け部材７の外周面に静電植毛によって、起毛部８が形成されている。この軸受け１５の製造方法を説明する。まず、毛材が植設される箇所の軸受け部材７の表面にたいして、接着層を形成する。次に、軸受け部材７の周囲に、直流電圧により静電界を発生させる。その後、複数の毛材を、静電界により発生する静電吸引力により飛ばす事により、複数の毛材は、軸受け部材７の外周面に形成された接着層にたいして植設される。上記の如く、静電植毛とは、直流電圧により静電界を発生させ、その静電吸引力にて毛材を飛ばす事により、接着層を有する軸受け部材７に毛材を植設する技術をいう。
【００２１】
図４は、本発明の第１の実施の形態の起毛部が形成された軸受けの断面図である。この図に示すように、軸受け１５は、軸受けホルダー６に勘合されたシャフト１９にたいして、ワッシャー１８、軸受けメタル１７を介して回転自在に装着されてある。起毛部８は、軸受け部材７の外周面に形成されてある。また、穴部２９、及びワッシャー１８との接合面３９、軸受けメタル１７との接合面４９、５９には起毛部８は形成されていない。
【００２２】
図５は、図４のＡ−Ａ断面図である。この図に示すように、電気掃除機用床吸込具本体１０は、下ケース１０ｂに形成されている溝部９に軸受け１５が装着され、軸受け１５の上面に上ケース１０ａが固定される構造となっている。
【００２３】
ここで、軸受け部材７と溝部９との間に形成される隙間には起毛部８が配置されることとなるので、起毛部８に使用される弾力性を有する毛材により軸受け部材７と電気掃除機用床吸込具本体１０との間で、回転ブラシ１の回転時の振動を吸収する事ができると共に、振動音の発生を抑える事ができる。尚、軸受け部材７と溝部９との間に形成される隙間の高さは、起毛部８に使用される毛材の毛丈よりも低く設定することによって、毛材が斜めに倒れて隙間を埋め尽くすことができる。
【００２４】
尚、上記第１実施形態では、軸受け部材７の外周面に起毛部８を形成しているが、下ケース１０ｂ及び上ケース１０ａ側に起毛部を形成させて、この起毛部を、軸受け部材７と溝部９との間に形成される隙間に配置させることによっても同様の効果を奏することができ、これも本発明に含まれるものである。また、起毛部８は、回転ブラシ１の長手方向の側面、及び回転ブラシ１の回転方向の４面に形成されてある。また、清掃中には、回転ブラシ１にたいしてスラスト方向、ラジアル方向等の応力が加わっているが、回転ブラシ１のスラスト方向については、ラジアル方向に比べて電気掃除機用床吸込具本体１０に加わる振動の影響は小である為、回転ブラシ１の長手方向の側面側の起毛部８を形成しない形態を採用することもできる。また、起毛部８は、上記の静電植毛による形態以外にも、例えば起毛部に不織布、紙等を接着により装着する等、起毛が形成されてある形態であれば、採用できる。さらにまた、起毛部を構成する起毛の材質については、各種の繊維からなるパイル、合成樹脂、ゴム、エラストマー等、各種弾性材料を採用できる。
【００２５】
図６は、本発明の第２の実施の形態の起毛部が形成された軸受けの斜視図である。この図に示すように、軸受け１５ａは、基布１３ｂの上にブラシ毛１３ａが植設されてなる起毛布１３の４個を起毛部として、軸受け部材７の外周面の４面に、接着剤等により固定して形成されている。また、軸受け部材７の前面の１面に、基布１４ｂの上にブラシ毛１４ａが植設されてなる起毛布１４を起毛部として、接着剤等により固定して形成されている。
【００２６】
上記構成の第２の実施の形態においても、軸受け部材７と溝部９との間に形成される隙間には起毛布１３が配置されることとなるので、起毛布１３に使用される弾力性を有するブラシ毛１３ａにより軸受け部材７と吸込具本体１０との間で、回転ブラシ１の回転時の振動を吸収する事ができると共に、振動音の発生を抑える事ができる。
【００２７】
図７は、本発明の電気掃除機用床吸込具を搭載した電気掃除機の全体側面図である。電気掃除機３０は、前部に塵埃を捕集する集塵室２１と、後部に電動送風機２２を内蔵した電動送風機室２３をそれぞれ備えた掃除機本体２０と、前記集塵室２１に連通するように一端が掃除機本体２０に接続されるホース２４と、ホース２４の他端に設けられたハンドルパイプ２５に着脱自在に接続される延長管２６とを備え、前記延長管２６の他端に、電気掃除機用床吸込具本体１０を接続するようにしたものである。
【００２８】
上記構成により、掃除機本体２０を運転し、ハンドルパイプ２５を操作して、掃除機用床吸込具本体１０を木床や絨毯上で操作すると、掃除機用床吸込具本体１０に内蔵された回転ブラシ１が回転し、塵埃が清掃体３により掻き上げられ、電動送風機２２による吸引力で、空気と共に塵埃が、延長管２６、ホース２４を通って集塵室２１に流れそこで塵埃が捕集される。
【産業上の利用可能性】
【００２９】
本発明の電気掃除機用床吸込具は、電気掃除機の延長管の端部に連結して使用され、本発明の電気掃除機は、電気掃除機用床吸込具の回転ブラシによって床や絨毯等の被清掃面の塵埃を掻き上げると共に吸引する道具として使用される。
【符号の説明】
【００３０】
１  回転ブラシ
２  ロータ
３  清掃体
４  溝部
５  プーリー付きホルダー
６  軸受けホルダー
７  軸受け部材
８  起毛部
９  溝部
１０  電気掃除機用吸込具本体
１０ａ  上ケース
１０ｂ  下ケース
１１  モータ
１２  ベルト
１３、１４  起毛布
１３ａ、１４ａ  ブラシ毛
１３ｂ、１４ｂ  基布
１５、１５ａ、１５ｂ  軸受け
１７  軸受けメタル
１８  ワッシャー
１９  シャフト
２０  掃除機本体
２１  集塵室
２２  電動送風機
２３  電動送風機室
２４  ホース
２５  ハンドルパイプ
２６  延長管
２９  穴部
３０  電気掃除機
３９、４９、５９  接合面
【図１】
2014094210.tif 000003
【図２】
2014094210.tif 000004
【図３】
2014094210.tif 000005
【図４】
2014094210.tif 000006
【図５】
2014094210.tif 000007
【図６】
2014094210.tif 000008
【図７】
2014094210.tif 000009